(57)【要約】【課題】本考案の課題は、片手が不自由な身体障害者や高齢者が便座に座ったままトイレットペーパーホルダーから片手でロールペーパーを引き出した後、片手で適量のロールペーパーを切り取ることができるようにすることである。【解決手段】本考案は、トイレットペーパーホルダー５の上フタ４に装着する器具１であり、身体障害者や高齢者が便座に座ったまま、片手８でロールペーパー９を引き出した後、片手以外の苦痛を伴わずに動かすことができる身体の可動部、あるいはそこに着装される装具等（例「ひざ」）７で器具１の下方に延びるウデ１０の下部に設けた任意の緩い角度３をもたせた２を押すことにより上フタ４に上方から力が加わり、ロールペーパー６の回転を抑えながらロールペーパーの長さを調節し、片手８で適量のロールペーパー９を切り取ることができる。【選択図】図３
0003126522.tif 000002
【実用新案登録請求の範囲】
【請求項１】
利用者がトイレットペーパーホルダーから片手でロールペーパーを引き出した後、利用者がトイレットペーパーホルダーの上フタに上方から被せるように装着して固定された器具の下方に伸びるウデの下部に設けた部分を片手以外の苦痛を伴わずに動かすことができる身体の可動部、あるいはそこに着装される装具等で押すことにより、トイレットペーパーホルダーの上フタに上方から力が加わり、ロールペーパー本体の回転を抑え、引き続き苦痛を伴わずに動かすことができる身体の可動部、あるいはそこに着装される装具等でトイレットペーパーホルダーの上フタに上方から被せるように装着して固定された器具の下方に伸びるウデの下部を押しながら押す力を調節し、片手でロールペーパーの長さを調節しながら片手で適量のロールペーパーを切り取ることができるトイレットペーパーホルダー。
【請求項２】
利用者が便座に座ったまま、トイレットペーパーホルダーから片手でロールペーパーを引き出した後、利用者の片手以外の苦痛を伴わずに動かすことができる身体の可動部、あるいはそこに着装される装具等でトイレットペーパーホルダーの上フタに上方から被せるように装着して固定された器具の下方に伸びるウデの下部に設けた部分を押して、トイレットペーパーホルダーの上フタに上方から力を加えることができると同時に押す力を調節することによりロールペーパーの回転を抑える力を調節し、片手でロールペーパーの長さを自由に調節することができる請求項１記載のトイレットペーパーホルダーの上フタに上方から被せるように装着する器具。
【請求項３】
トイレ室内の形状や広さ等の状況に合わせ、便座に座った利用者に支障がなく、トイレットペーパーホルダーの上フタに固定した器具の下方に伸びるウデの下部を片手以外の苦痛を伴わずに動かすことができる身体の可動部、あるいはそこに着装される装具等で容易に押すことができるよう、器具の下方に延びるウデの下部に、外側に任意の緩い角度（９０°〜１８０°）を付けた片手以外の苦痛を伴わずに動かすことができる身体の可動部、あるいはそこに着装される装具等で押す部分がある請求項１記載のトイレットペーパーホルダーの上フタに上方から被せるように装着する器具。
【請求項４】
市販されているトイレットペーパーホルダーの上フタ、既設のトイレットペーパーホルダーの上フタに装着する場合、トイレットペーパーホルダー、あるいはその上フタの材質、形状に合わせ、木、プラスチック、合成樹脂、金属から材料を選択して製作する請求項１記載のトイレットペーパーホルダーの上フタに被せるように装着する器具。
【請求項５】
市販されているトイレットペーパーホルダーの上フタ、既設のトイレットペーパーホルダーの上フタに装着する場合、トイレットペーパーホルダーあるいはその上フタの形状、トイレ室内のトイレットペーパーホルダー取付け位置、トイレットペーパーホルダーの取付け高さに合わせ、幅、大きさ、身体の可動部、あるいはそこに着装される装具等で押す部分の角度、長さ、形状を変えた請求項１記載のトイレットペーパーホルダーの上フタに被せるように装着する器具。
【考案の詳細な説明】
【技術分野】
【０００１】  本考案は、身体障害者や高齢者が片手で適量のロールペーパーを引き出した後、トイレットペーパーホルダーの上フタに上方から被せるように装着して固定された器具の下方に伸びるウデの下部を片手以外の苦痛を伴わずに動かすことができる身体の可動部、あるいはそこに着装される装具等で押すことにより、トイレットペーパーホルダーの上フタに上方から力が加わり、ロールペーパー本体の回転を抑え、片手で切り取ることができるトイレットペーパーホルダーの上フタに上方から被せるように装着する器具に関するものである。
【背景技術】
【０００２】  通常、トイレットペーパーホルダーからロールペーパーを引き出して切り取る作業は、利用者が一方の手でロールペーパーを引き出した後、他方の手でトイレットペーパーホルダーの上フタを上方から押して力を加えることによりロールペーパーの回転を抑え、切り取るものである。しかし、片手が不自由で、片手しか使用できない身体障害者や高齢者は、従来型のトイレットペーパーホルダーから片手でロールペーパーを引き出すことは可能だが、他方の手が使用できないため、トイレットペーパーホルダーの上フタを上方から押すことができず、その結果、ロールペーパーの回転を抑えることができないので、片手でロールペーパーを切り取ることができず、家族、あるいは介護士の手を借りることが多かった。【０００３】  そして、身体障害者や高齢者にとって、トイレを使用する際、家族あるいは他人の手を煩わすことは、利用者自身のプライバシーが侵害されるだけでなく、利用者の自尊心が傷つくなど、精神的に苦痛でもあった。【０００４】  現在、片手で使えるトイレットペーパーホルダー、ペーパーカッターなどが多数考案されているが、その大半はトイレットペーパーホルダー本体を改造したものや特別なカッターを取り付けたものであることから、多くの場合、現在使用中のトイレ室内に取り付けられた既設のトイレットペーパーホルダーを取り替える必要がある。【０００５】  また、市販されている片手で使用できるトイレットペーパーホルダーの多くは、切り取る際のコツを掴むまでに時間を要し、ロールペーパーが無駄になる場合もあった。
【考案の開示】
【考案が解決しようとする課題】
【０００６】  解決しようとする問題点は、片手が不自由で、片手しか使用できない身体障害者や高齢者がトイレを使用した際、利用者本人がトイレットペーパーホルダーから片手でロールペーパーを引き出した後、他方の手が使用できないので自らトイレットペーパーホルダーの上フタを上方から押して力を加えることができないため、ロールペーパーの回転を抑えることができず、片手でロールペーパーを切り取ることができないことである。
【課題を解決するための手段】
【０００７】  本考案は、トイレットペーパーホルダーの上フタに上方から被せるように装着する器具であり、トイレットペーパーホルダーの上フタに装着した器具により、身体障害者や高齢者自身が便座に座ったまま、片手でロールペーパーを引き出した後、片手以外の苦痛を伴わずに動かすことができる身体の可動部、あるいはそこに着装される装具等でトイレットペーパーホルダーの上フタに上方から被せるように装着した器具の下方に伸びるウデの下部を押すことにより上フタに上方から力が加わり、ロールペーパーの回転を抑えることが可能となると同時に、押す力を調節することでロールペーパーの長さを調節することができるため、片手が不自由な身体障害者、あるいは高齢者が片手でロールペーパーを切り取ることができ、しかも長さを調節できることで適量のロールペーパーを切り取ることができるようになり、問題点を解決している。
【考案の効果】
【０００８】  本考案は、片手が不自由な身体障害者や高齢者が動かすことができる片手でトイレットペーパーホルダーからロールペーパーを引き出した後、片手以外の苦痛を伴わずに動かすことができる身体の可動部、あるいはそこに着装される装具等で、訓練を必要とするような特別な動作ではなく、日常動作の延長線上の無理のない動作で押すことによってロールペーパーの回転を抑えることができ、押す力を加減してロールペーパーの長さを調節し適量のロールペーパーを切り取ることができることから、片手が不自由な身体障害者や高齢者が一人でトイレを使用できることが可能となり、プライバシーが侵害されることがなく、精神的な苦痛もなくなることに加え、家族、介護士などに余分な負担をかけずに済むという利点がある。【０００９】  本考案によるトイレットペーパーホルダーの上フタに上方から被せるように装着する器具は、市販のトイレットペーパーホルダー、あるいは既設のトイレットペーパーホルダーの上フタに装着できるという利点がある。【００１０】  本考案によるトイレットペーパーホルダーの上フタに上方から被せるように装着する器具は、市販のトイレットペーパーホルダー、既設のトイレットペーパーホルダーの上フタに装着する場合、トイレットペーパーホルダーの材質、形状に合わせ、木、プラスチック、合成樹脂、金属から材料を選択して製作することができるという利点がある。【００１１】  本考案によるトイレットペーパーホルダーの上フタに上方から被せるように装着する器具は、市販のトイレットペーパーホルダー、既設のトイレットペーパーホルダーの上フタに装着する場合、トイレットペーパーホルダーの形状、トイレ室内のトイレットペーパーホルダーの取付け位置、トイレットペーパーホルダーの取付け高に合わせ、幅、大きさ、身体の可動部、あるいはそこに着装される装具等で押す部分の角度、長さ、形状を変えることができるという利点がある。
【考案を実施するための最良の形態】
【００１２】  本考案は、片手が不自由な身体障害者、あるいは高齢者が、動かすことができる片手でロールペーパーを引き出した後、便座に座ったまま片手以外の苦痛を伴わずに動かすことができる身体の可動部、あるいはそこに着装される装具等でトイレットペーパーホルダーの上フタに上方から被せるように装着した器具の下方に伸びるウデの下部を押すことによってトイレットペーパーホルダーの上フタに上方から力が加わり、ロールペーパーの回転を抑えることが可能となる。そして、片手が不自由な身体障害者、あるいは高齢者は、引き続き身体の可動部、あるいはそこに着装される装具等でトイレットペーパーホルダーの上フタに上方から被せるように装着した器具の下方に伸びるウデの下部を押しながら押す力を調節し、ロールペーパーの長さを調節することによって、片手で適量のロールペーパーを切り取ることができるようになる。
【実施例】
【００１３】  以下、添付図面に従って実施例を説明する。１は器具本体である。５はトイレットペーパーホルダー本体で、４はその上フタである。６はロールペーパー本体である。器具本体１は、トイレットペーパーホルダー本体５のロールペーパー本体６の回転を抑える上フタ４に上方から被せるように装着され固定されている。器具本体１はロールペーパーの外側に下方に伸びるウデ１０をもち、その下部には、利用者の片手以外の苦痛を伴わずに動かすことができる身体の可動部、あるいはそこに着装される装具等（一例としてここでは「ひざ」）７で押す部分２を設けてあり、２は、片手以外の苦痛を伴わずに動かすことができる身体の可動部、あるいはそこに着装される装具等に合わせて押し易くするため、および利用者の支障にならないようにするため、ならびにトイレ室内の状況に合わせるために、外側に任意の緩い角度（９０°〜１８０°）３を付けてある。利用者は、便座に座ったまま片手８で適量のロールペーパー９を引き出した後、身体の可動部、あるいはそこに着装される装具等（一例としてここでは「ひざ」）７を用い、器具本体１の下方に延びるウデ１０の下部に設けた２を押すことによって、上フタ４に上方から力が加わりロールペーパー本体６の回転が抑えられ、片手８で引き出した適量のロールペーパー９を切り取る。【００１４】  利用者は、便座に座った状態でトイレットペーパーホルダー本体５から利用者の片手８でロールペーパー９を引き出す。【００１５】  次に利用者は、トイレットペーパーホルダー本体５の上フタ４に上方から被せるように装着された器具本体１の下方に延びるウデ１０の下部に設けた外側に緩い角度（９０°〜１８０°）３を有した２を身体の可動部、あるいはそこに着装される装具等（一例としてここでは「ひざ」）７で押すことによってトイレットペーパーホルダー５の上フタ４に上方から力が加わり、ロールペーパー本体６の回転を抑える。【００１６】  その後利用者は、引き続き身体の可動部、あるいはそこに着装される装具等（一例としてここでは「ひざ」）７で２を押す力を加減してトイレットペーパーホルダー５の上フタ４に上方から加える力の調節することにより、ロールペーパー本体６の回転を抑える力を調節し、引き出したロールペーパー９の長さを調節する。【００１７】  最後に利用者は、身体の可動部、あるいはそこに着装される装具等（一例としてここでは「ひざ」）７で２を押し続けトイレットペーパーホルダー５の上フタ４に上方から力を加え、ロールペーパー本体６の回転を抑えたままの状態で、利用者の片手８で引き出し、長さを調節した適量のロールペーパー９を切り取る。
【産業上の利用可能性】
【００１８】  本考案によるトイレットペーパーホルダーの上フタに上方から被せるように装着する器具は、市販されている多くの種類のトイレットペーパーホルダー、あるいは予めトイレ室内に取り付けられている多くの種類のトイレットペーパーホルダーに適用できる。【００１９】  本考案によるトイレットペーパーホルダーの上フタに上方から被せるように装着する器具は、簡単に入手できる木で製作する場合、比較的簡単な構造であることから、簡単な作り方の講習を受けることにより健常者だけではなく、高齢者や身体障害者、あるいは地域のコミュニティなどが製作に参加することができ、ものづくりの市民活動の一環となる。【００２０】  本考案によるトイレットペーパーホルダーの上フタに上方から被せるように装着する器具は、身体障害者、高齢者のみならず、怪我等により座ったままの状態で容易に身体の向きを変えることができない者、あるいは腰痛等により座ったままの状態で容易に身体の向きを変えることができない者、または何らかの理由で片手が使用できない状態の健常者にも適用できる。【００２１】  本考案によるトイレットペーパーホルダーの上フタに上方から被せるように装着する器具は、トイレットペーパーホルダーだけでなく、台所や作業場等の壁に取り付けたロール状のペーパータオル、およびキッチンペーパータオル、ならびにクッキングペーパー用ホルダーにも適用できる。
【図面の簡単な説明】
【図１】  これはトイレットペーパーホルダーの上フタに取り付けた器具の正面図である。
【図２】  これはトイレットペーパーホルダーの上フタに取り付けた器具の側面図である。
【図３】  これはトイレ利用者が片手でロールペーパーを引き出した後、利用者の身体の可動部、あるいはそこに着装される装具等（一例としてここでは「ひざ」）でトイレットペーパーホルダーの上フタに上方から被せるように装着した器具の下方に延びるウデの下部を押すことによってトイレットペーパーホルダーの上フタに上方から力が加わり、ロールペーパー本体の回転を抑え、押す力を調節しながら片手でロールペーパーの長さを調節し、片手で適量のロールペーパーを切り取った状態を示す図である。
【符号の説明】
【００２２】  １  トイレットペーパーホルダーの上フタに上方から被せるように装着した器具本体
２  利用者の身体の可動部、あるいはそこに着装される装具等で押す部分
３  外側に付けた任意の緩い角度（９０°〜１８０°）
４  トイレットペーパーホルダーの上フタ
５  トイレットペーパーホルダー本体
６  ロールペーパー本体
７  利用者の身体の可動部、あるいはそこに着装される装具等（一例としてここでは「ひざ」）
８  利用者の片手
９  引き出したロールペーパー
１０  下方に伸びたウデ
【図１】
0003126522.tif 000003
【図２】
0003126522.tif 000004
【図３】
0003126522.tif 000005
【手続補正書】
【提出日】平成18年8月1日(2006.8.1)
【手続補正１】
【補正対象書類名】実用新案登録請求の範囲
【補正対象項目名】全文
【補正方法】変更
【補正の内容】
【実用新案登録請求の範囲】
【請求項１】
上フタの上から力を加えるための器具が上フタに装着されたトイレットペーパーホルダーであって、上フタを直接押さえてロールペーパーの回転を止めることができない利用者が、苦痛を伴わずに動かすことができる身体の可動部、あるいはそこに着装される装具等を用いて上フタに上から力を加えるための下方に伸びるウデを有する器具を上フタに装着したトイレットペーパーホルダー。
【請求項２】
前記トイレットペーパーホルダーの上フタに上から力を加えるための器具であって、利用者が便座に座ったまま、苦痛を伴わずに動かすことができる身体の可動部、あるいはそこに着装される装具等を押し当てるための下方に伸びるウデを有する、請求項１記載のトイレットペーパーホルダーの上フタに装着する器具。
【請求項３】
前記トイレットペーパーホルダーの上フタに上から力を加えるための下方に伸びるウデを有する器具であって、トイレ室内の形状や広さ等の状況に合わせ、便座に座った利用者に支障がなく、利用者が苦痛を伴わずに動かすことができる身体の可動部、あるいはそこに着装される装具等を容易に押し当てることができるよう、ウデの下部に、外側に任意の緩い角度（９０°〜１８０°）を設けた、請求項１記載のトイレットペーパーホルダーの上フタに装着する器具。
【請求項４】
前記トイレットペーパーホルダーの上フタに上から力を加えるための下方に伸びるウデを有する器具であって、トイレットペーパーホルダーの上フタに装着する場合、トイレットペーパーホルダー、あるいはその上フタの材質、形状に合わせ、木、プラスチック、合成樹脂、金属から材料を選択して製作する、請求項１記載のトイレットペーパーホルダーの上フタに装着する器具。
【請求項５】
前記トイレットペーパーホルダーの上フタに上から力を加えるための下方に伸びるウデを有する器具であって、トイレットペーパーホルダーの上フタに装着する場合、トイレットペーパーホルダー、あるいはその上フタの形状、トイレ室内のトイレットペーパーホルダー取付け位置、トイレットペーパーホルダーの取付け高さに合わせ、幅、大きさ、ウデの長さ、ウデの角度、ウデの形状を変えて製作する、請求項１記載のトイレットペーパーホルダーの上フタに装着する器具。